(57)【特許請求の範囲】
【請求項１】
下水道配管内に敷設された複数本の芯線からなる光ファイバーを含む施設図面をディジタル情報として格納するファイル装置と、前記ファイル装置に格納されている施設図面情報を読み出して表示するディスプレイ装置と、前記ディスプレイ装置に前記施設図面を表示させるための操作指令を指示入力する操作入力手段と、前記光ファイバーの状態を芯線毎に検知する光ファイバー監視装置と、前記ファイル装置から施設図面情報を検索する図面検索手段と、前記光ファイバー監視装置から伝送されてくる前記光ファイバーの異常状態情報を入力し、前記図面検索手段により検索された該当施設図面上における前記光ファイバーの異常点位置を検索し異常情報を前記ファイル装置に格納する監視処理手段と、異常発生した光ファイバーの異常点位置を前記ディスプレイ装置に表示した後に前記操作入力手段の操作指令に従い前記複数本の光ファイバーを芯線毎に分離し異常発生した光ファイバー芯線の異常点位置を前記ディスプレイ装置に表示する表示処理手段とを具備することを特徴とする図面管理装置。
【請求項２】
下水道配管内に敷設された複数本の芯線からなる光ファイバーを含む施設図面をディジタル情報として格納するファイル装置と、前記ファイル装置に格納されている施設図面情報を読み出して表示するディスプレイ装置と、前記ディスプレイ装置に前記施設図面を表示させるための操作指令を指示入力する操作入力手段と、前記光ファイバーの芯線毎に試験データを送りその減衰度によって当該光ファイバー芯線の異常状態を検知する検知する光ファイバー監視装置と、前記ファイル装置から施設図面情報を検索する図面検索手段と、前記光ファイバー監視装置から伝送されてくる前記光ファイバーの異常状態情報を入力し、前記図面検索手段により検索された該当施設図面上における前記光ファイバーの異常点位置を検索し異常情報を前記ファイル装置に格納する監視処理手段と、異常発生した光ファイバーの異常点位置を前記ディスプレイ装置に表示した後に前記操作入力手段の操作指令に従い前記複数本の光ファイバーを芯線毎に分離し異常発生した光ファイバー芯線の異常点位置を前記ディスプレイ装置に表示する表示処理手段とを具備することを特徴とする図面管理装置。
【発明の詳細な説明】
【０００１】
【発明の属する技術分野】
本発明は下水道管内に敷設された光ファイバーの施設図面情報をディジタル情報化して管理する図面管理装置に関する。
【０００２】
【従来の技術】
従来、水道、ガス、電気、電話などの配管、配線系統などの施設図面情報においては、その用途毎に階層構造化されており、それぞれの施設情報や地図情報はベクトル情報つまり図形情報で表現されている。
【０００３】
図形情報は、構成点座標を記憶している線図形情報、文字コードと表示座標位置や傾きを記憶している文字図形情報、記号コードと表示座標位置や傾きを記憶している記号図形情報に分類される。これら図面情報は目的に応じて階層を任意に組み合わせてディスプレイ上に表示する。
【０００４】
一方、この図面情報だけでは施設に関する情報すべては表現できない為、施設図面上の該当施設図形に対応した施設に関する属性情報に記述している。
【０００５】
また、下水道管渠内に敷設される光ファイバー網は、数百kmに及び1本の光ファイバーケーブルには、２０〜１００本程度の芯線が含まれており、各芯線に色々な情報が伝送されている。設備制御情報等の重要情報を伝送している光ファイバーが異常時には早急に復旧することが要求される。このため、光ファイバー監視装置による光ファイバーの状態監視を行うことが提案されている。光ファイバー監視装置は光ファイバー毎に試験データを送り、その反射データをみて減衰度により異常状態を検知する方法が考えられている。
【０００６】
【発明が解決しようとする課題】
光ファイバーの異常点情報を把握するには、異常発生した光ファイバーの芯線を特定するとともに異常点位置を検索することになる。しかし、ディスプレイ装置に表示される施設図面においては下水道管渠と複数本の光ファイバーが１本線で重複表示されるため、異常点位置は施設図面に表示できるが、どの光ファイバーが異常で伝送している情報はなにかを把握することが困難となる。特に、光ファイバー芯線の本数が増加するのに伴い異常発生の光ファイバー芯線を特定するのに多くの時間を要するという問題点を有する。
【０００７】
本発明は上記点に対処してなされたもので、その目的とするところは異常発生した光ファイバー芯線と異常点位置を迅速に把握することができる図面管理装置を提供することにある。
【０００８】
【課題を解決するための手段】
本発明の特徴とするところは、施設図面上で重複表示されている下水道管渠図形と複数本の光ファイバー芯線をそれぞれ分離して表示するように切替えるようにしたことにある。
【０００９】
本発明によれば複数本の光ファイバー芯線をそれぞれ分離して表示するので異常発生した光ファイバー芯線と異常点位置を迅速に把握することができる。
【００１０】
【発明の実施の形態】
階層構造化された施設図面情報はＸ、Ｙ座標値で表現したベクトル情報つまり図形情報としてディジタル化してある。また、施設属性情報の中には施設番号や場所、名称がある。このため、施設番号がわかれば該当図面、施設図形を検索できる。
【００１１】
施設図形情報と属性情報の関係は、使用者により定義し画面上に表示しない内部テーブルとしてのグルーピングファイルに図形番号、属性番号を登録することにより定義できる。また、線路施設属性情報内に距離情報がある場合、図形の座標情報と縮尺より計算した実延長と距離情報の比率により、始点からの特定距離の場所は、その地点の座標が計算でき、施設図面上で特定することが可能となる。  以下、本発明の一実施例を図面を参照して説明する。
【００１２】
図２は本発明の一実施例である図面管理装置の基本構成図である。  図２において、ファイル装置２０３には施設図面データが格納されている。施設図面データは地形図や管路図などの図形データと図形に関係する町名、個人名、管口径、管種、住所などの文字・数値で表現される属性情報がある。格納されている図形データは紙に書いた図面を一定間隔でスキャンして読み取りデータの濃淡に応じて濃淡階調化し、ディジタル画像を得てコード化したデータを得る図面入力装置２０４から入力する。
【００１３】
施設図面は図３（ａ）に示すように複数図面から成り、各々分割して図形データファイルを作る。図形データは図３（ｂ）のように直交座標系で示され、図面サイズでそのＸ，Ｙ軸方向の長さＸ ，Ｙが決まる。
【００１４】
これらの図形データは図４（ｂ）〜（ｄ）のように道路、家枠、管路と階層分離したデータ記憶構造となっている。これらのデータを必要に応じて各階層を重ね合わせ図４（ａ）のような図形データにする。
【００１５】
一方、属性情報は図５（ｂ）のように施設毎に属性情報が存在する。各属性と施設図形を結び付けるグルーピングファイルのデータ構成は、図５（ａ）に示すような構成となっている。
【００１６】
グルーピングファイルに図形番号、属性番号、図面番号などを登録することにより施設図形と属性情報を結び付ける。また、属性情報の文字・数値情報はキーボード２０６またはフロッピーディスクなど一括してデータを入力できるデータ入力装置２０８を用いてファイル装置２０３へ入力する。
【００１７】
オペレータがマウス２０７を操作してディスプレイ装置（ＣＲＴ）２０５上に図面を表示するには、まずオペレータがマウス２０７を操作してＣＲＴ画面上に表示してある機能選択用のアイコンへカーソルＣＵを移動して指定する。
【００１８】
「図面読出し」のアイコンを指定すると、中央処理装置（ＣＰＵ）２０１はファイル装置２０３から該当の図面データ（図形データとその属性情報）を検索しメインメモリ２０２に一時格納する。メインメモリ２０２は図面データの検索や編集などの処理を実行するためのプログラムや処理中のデータを記憶する働きをする。
【００１９】
メインメモリ２０２に一時記憶している図面データはＣＲＴ２０５の表示領域である有効表示座標にあわせて、ＣＰＵ２０１でデータ編集された後にＣＲＴ２０５に表示される。オペレータはこの表示画面により目的の図面内容を知ることができる。
【００２０】
なお、細かな部分を把握するには部分拡大して表示する。このためには例えばマウス２０７によりカーソルＣＵを移動させてＣＲＴ表示領域から矩形の任意領域を対角線上の両端で指定して任意倍率に拡大あるいは縮小させる。具体的にはメインメモリ２０２に記憶されている該当図面データの一部をＣＰＵ２０１を介して拡大・縮小編集しＣＲＴ２０５に表示する。
【００２１】
ファイル装置２０３に格納されている施設図面データやメインメモリ２０２に一時記憶している図面データは図面出力装置２０９により紙やポリエステルフィルムに印刷出力される。
【００２２】
次に下水道管渠内に敷設される光ファイバーについて図7を用いて説明する。
【００２３】
図７(a)は下水管渠の横断面を表した図であり、図７(b)は下水管渠の縦断面を表した図である。
【００２４】
下水管渠６０６内には常時下水が流れている。２本の光ファイバー６０５、６０７は図７(a)，(b)に示すように下水管渠６０６内で留金具６０８により上方に吊るされている。
【００２５】
雨水の増大や洪水により留金具６０８が外れ、光ファイバーが点線で示す光ファイバー６０９のように撓んで損失が多くなったり，劣化、摩擦により断線することもある。光ファイバー６０５、６０７の断線は工事などで人為的に誤って断線させることもある。
【００２６】
この図７(a)，(b)で示す光ファイバー施設は、施設図面において、図6(a)に示すように下水管渠６０６、光ファイバー６０５、６０７が同一線上に配置され、ディスプレイ表示面１０１上で１本の線として表示される。
【００２７】
光ファイバー監視装置２１１から異常点位置を中央処理装置２０１に伝送し異常発生の光ファイバー芯線と異常点位置を特定することについて図１により説明する。
【００２８】
図１は本発明の実施例の要部を示すもので、ＣＰＵ２０１および光ファイバー監視装置２１１の詳細構成を示した図である。
【００２９】
光ファイバー監視装置２１１を構成する光ファイバー測定処理部１３１は複数本の光ファイバー６０５、６０７の芯線と接続されており、定期的に複数本の光ファイバー芯線を順次測定する。光ファイバー測定処理部１３１は測定した結果を監視制御部１３２に伝送する。
【００３０】
監視制御部１３２は、測定した結果を解析し損失値が閾値より大きい場合や途中で測定不能になっている場合などには異常として検知し、異常点位置の距離情報、損失値、測定波形、発生日時等を通信装置２１０を介してＣＰＵ２０１に伝送する。なお、図１では通信装置２１０の図示を省略している。
【００３１】
ＣＰＵ２０１内の監視処理部１１９は伝送されてきた異常情報をメインメモリ２０２および図５（ｂ）に示す監視異常点属性情報のように属性ファイル１２２内に格納する。
【００３２】
監視制御部１３２は異常位置情報と光ファイバー番号により施設図面上の光ファイバー図形を検索し、異常点座標を特定する。監視制御部１３２は異常点座標をメインメモリ２０２内の図形データに監視異常点図形データとして登録するとともに、監視異常点図形データを表示処理部１１７によって図6（ａ）に示す監視異常点６０２としてディスプレイ表示面１０１の図面表示領域１０３に表示させる。
【００３３】
次に、施設図面上で重複表示されている下水道管渠図形情報６０６と複数本の光ファイバー図形情報６０５、６０７の表示形態を切替えることについて説明する。
【００３４】
マウス２０７を用いて、ディスプレイ表示面１０１上のアイコン領域１０２にマウス２０７の操作と一対一に対応して動くカ−ソルＣＵを移動し、「表示形態切替」のアイコンを選択指令する。この選択指令が操作入力部１１１に入力されると、表示形態切替部１１４が対象図形抽出部１１５を起動する。
【００３５】
対象図形抽出部１１５と座標変換部１１６の動作を図８を参照して説明する。
【００３６】
対象図形抽出部１１５は、ステップＳ１においてメインメモリ２０２上の図面データより光ファイバー階層の図形データを抽出し、メインメモリ２０２の別領域に格納する。また、ステップＳ２でメインメモリ２０２上の図面データより監視異常点の図形データを抽出する。
【００３７】
座標変換部１１６はステップＳ３にて予め定めた表示上で見やすく図形をスライドする移動量を設定し、ステップＳ４に移行して抽出した光ファイバー図形データの始、終点座標を除く構成点座標に対し移動量を加え座標をずらし、メインメモリ２０２に再格納する。  座標変換部１１６はステップＳ５においてその光ファイバー図形の図形番号よりファイル装置２０３内の属性ファイル１２２のグルーピングファイルから属性番号を検索し、光ファイバー属性情報から属性番号をキーとして光ファイバー番号を得る。
【００３８】
次に、ステップＳ６では監視異常点属性情報から光ファイバー番号をキーとして該当の属性番号を検索し、グルーピングファイルから監視異常点図形データの図形番号を得、この図形番号よりメインメモリ２０２の監視異常点図形データを特定し、光ファイバー図形と同様に座標に移動量を加え座標をずらし、メインメモリ２０２に再格納する。
【００３９】
対象図形抽出部１１５で抽出した光ファイバー図形が複数ある場合には、ステップＡ７において移動量を一定数増やし上述の座標変換処理を繰り返し実行する（ステップＡ８）。
【００４０】
座標変換部１１６は抽出した総ての光ファイバー図形及び監視異常点図形について座標変換処理が終わると表示処理部１１７を起動する。表示処理部１１７はメインメモリ２０２に格納されている座標変換した図形情報をディスプレイ装置２０５の図面表示領域１０３に表示形態を図６（ｂ）に示すように切替えて表示する。
【００４１】
図６（ｂ）に示すように、複数本の光ファイバー６０５、６０７は芯線毎に分離し異常発生した光ファイバー芯線の異常点位置６０２をディスプレイ装置２０５に表示される。
【００４２】
このようにして表示するのであるが、施設図面上で重複表示されている下水道管渠図形と複数本の光ファイバー芯線をそれぞれ分離して表示するように切替えるようにしている。したがって、複数本の光ファイバー芯線をそれぞれ分離して表示するので異常発生した光ファイバー芯線と異常点位置を迅速に把握することができる。
【００４３】
【発明の効果】
以上説明したように本発明によれば施設図面上の下水管渠と複数の光ファイバーが重複して表示されている場合でも、表示形態を切替えることにより異常点位置と異常発生した光ファイバーを迅速に特定でき的確な対処が可能となる。
【図面の簡単な説明】
【図１】本発明の一実施例の要部を示す構成図である。
【図２】本発明の一実施例を示す全体構成図である。
【図３】ファイル装置に格納されている図面構成と図形座標位置の関係を示す図である。
【図４】図形データの階層構成図である。
【図５】グルーピングファイルと属性ファイルの一例を示す図である。
【図６】表示形態の一例を示す図である。
【図７】下水道管渠と光ファイバーの敷設状態を示す模式図である。
【図８】本発明の動作を説明するためのフロー図である。
【符号の説明】
１０１…ディスプレイ表示面、１０２…アイコン領域、１０３…図面表示領域、１０４…属性表示領域、１１１…操作入力部、１１３…図面検索手段、１１４…表現切替手段、１１５…対象図形抽出手段、１１６…座標変換処理手段、１１７…図面表示処理手段、１２１…属性ファイル、１２２…図面ファイル、１３１…光ファイバー測定処理部、１３２…監視制御部、２０１…ＣＰＵ、２０２…メインメモリ、２０３…ファイル装置、２０４…図面入力装置、２０５…ＣＲＴ、２０６…キーボード、２０７…マウス、２０８…データ入力装置、２０９…図面出力装置、２１０…通信装置、２１１…光ファイバー監視装置。
【図１】
0003848506.tif 000002
【図２】
0003848506.tif 000003
【図３】
0003848506.tif 000004
【図４】
0003848506.tif 000005
【図５】
0003848506.tif 000006
【図６】
0003848506.tif 000007
【図７】
0003848506.tif 000008
【図８】
0003848506.tif 000009